【手続補正書】
【提出日】平成16年3月29日(2004.3.29)
【手続補正１】
【補正対象書類名】明細書
【補正対象項目名】特許請求の範囲
【補正方法】変更
【補正の内容】
【特許請求の範囲】
【請求項１】
塩素原子を含まない冷媒を吸込んで圧縮し吐出するとともに、冷凍機油を集溜し、この冷凍機油によって潤滑される圧縮機構部と、
この圧縮機構部を駆動する電動機部とを備え、
上記電動機部は、固定子と回転子とから構成され、
上記固定子は、固定子鉄心に巻線を施してなる圧縮機において、
上記固定子鉄心は、ヨーク部とティース部とからなり、
隣同士のティース部が異相となるように、各ティース部に三相巻線の単一相の巻線を施したことを特徴とする圧縮機。
【請求項２】
上記圧縮機構部に集溜される冷凍機油は、エステル系油と、ポリエーテル系油と、テフロン（登録商標）系油の一種または二種以上を混合させてなることを特徴とする請求項１記載の圧縮機。
【請求項３】
上記電動機部の固定子は、その固定子鉄心を構成するヨーク部およびティース部が、少なくとも２分割以上に分割されていることを特徴とする請求項１記載の圧縮機。
【請求項４】
上記固定子鉄心のティース部に施される巻線は、あらかじめ巻き枠であるボビンに巻回されていて、このボビンが上記ティース部に挿入嵌合されることを特徴とする請求項１ないし請求項３のいずれかに記載の圧縮機。
【請求項５】
上記固定子鉄心のティース部は、その数が３×ｎ（ｎは２以上の整数）に構成されるとともに、常に一相が非通電可能に三相巻線が施されることを特徴とする請求項１ないし請求項４のいずれかに記載の圧縮機。
【請求項６】
上記電動機部は、インバータ駆動されることを特徴とする請求項１ないし請求項５のいずれかに記載の圧縮機。
【請求項７】
上記固定子とともに電動機部を構成する上記回転子は、永久磁石が組込まれることを特徴とする請求項１ないし請求項６のいずれかに記載の圧縮機。
【手続補正２】
【補正対象書類名】明細書
【補正対象項目名】０００５
【補正方法】変更
【補正の内容】
【０００５】
固定子鉄心Ｋに形成されるスロットｒの数は、普通、三相の２極あるいは４極で巻線することを考慮した１２ｎ（ｎは１以上の整数）である。そして、上記巻線Ｍは、インサータ巻線方式により複数のティース部ｔおよび複数のスロットｒ相互間に跨って巻線される。


【手続補正３】
【補正対象書類名】明細書
【補正対象項目名】０００６
【補正方法】変更
【補正の内容】
【０００６】
【発明が解決しようとする課題】
ところで、従来のものでは、複数のティース部ｔおよび複数のスロットｒ間に跨って配線されるので、固定子Ｓａ，Ｓｂの両端面から突出する巻線Ｍ部分であるコイルエンドの高さが高くなる。その分、巻線Ｍの表面積が大きくなって、リーク電流が多くなる。


【手続補正４】
【補正対象書類名】明細書
【補正対象項目名】００１６
【補正方法】変更
【補正の内容】
【００１６】
【課題を解決するための手段】
上記目的を満足するため、本発明の圧縮機は、請求項１として、塩素原子を含まない冷媒を吸込んで圧縮し吐出するとともに、冷凍機油を集溜し、この冷凍機油によって潤滑される圧縮機構部と、この圧縮機構部を駆動する電動機部とを備え、上記電動機部は、固定子と回転子とから構成され、上記固定子は、固定子鉄心に巻線を施してなる圧縮機において、上記固定子鉄心は、ヨーク部とティース部とからなり、隣同士のティース部が異相となるように、各ティース部に三相巻線の単一相の巻線を施したことを特徴とする。


【手続補正５】
【補正対象書類名】明細書
【補正対象項目名】００１７
【補正方法】変更
【補正の内容】
【００１７】
請求項２として、請求項１記載の圧縮機において上記圧縮機構部に集溜される冷凍機油は、エステル系油と、ポリエーテル系油と、テフロン（登録商標）系油の一種または二種以上を混合させてなることを特徴とする。


【手続補正６】
【補正対象書類名】明細書
【補正対象項目名】００１９
【補正方法】変更
【補正の内容】
【００１９】
請求項４として、請求項１ないし請求項３のいずれかに記載の圧縮機において上記固定子鉄心のティース部に施される巻線は、あらかじめ巻き枠であるボビンに巻回されていて、このボビンが上記ティース部に挿入嵌合されることを特徴とする。


【手続補正７】
【補正対象書類名】明細書
【補正対象項目名】００２０
【補正方法】変更
【補正の内容】
【００２０】
請求項５として、請求項１ないし請求項４のいずれかに記載の圧縮機において上記固定子鉄心のティース部は、その数が３×ｎ（ｎは２以上の整数）に構成されるとともに、常に一相が非通電可能に三相巻線が施されることを特徴とする。


【手続補正８】
【補正対象書類名】明細書
【補正対象項目名】００２１
【補正方法】変更
【補正の内容】
【００２１】
請求項６として、請求項１ないし請求項５のいずれかに記載の圧縮機において上記電動機部は、インバータ駆動されることを特徴とする。
請求項７として、請求項１ないし請求項６のいずれかに記載の圧縮機において上記固定子とともに電動機部を構成する上記回転子は、永久磁石が組込まれることを特徴とする。


【手続補正９】
【補正対象書類名】明細書
【補正対象項目名】００２２
【補正方法】削除
【補正の内容】
【手続補正１０】
【補正対象書類名】明細書
【補正対象項目名】００２４
【補正方法】変更
【補正の内容】
【００２４】
請求項２記載の発明では、特定冷媒との相溶性がよい冷凍機油を選択でき、潤滑性の向上と、高い圧縮効率を得る。
請求項３記載の発明では、ティース部に巻線後、固定子を組立てることが嵌合でき、よって製造が容易で、しかも銅線の使用量が少なくてすむ。


【手続補正１１】
【補正対象書類名】明細書
【補正対象項目名】００２７
【補正方法】変更
【補正の内容】
【００２７】
請求項７記載の発明では、高周波磁束により生じる渦電流損失を大きく低減でき、有効磁束の増加による電動機効率の効率改善を図れる。
【手続補正１２】
【補正対象書類名】明細書
【補正対象項目名】００３２
【補正方法】変更
【補正の内容】
【００３２】
上記密閉ケース３の内底部には冷凍機油Ｏが集溜され、上記圧縮機構部４のほとんどが浸漬される。ここに集溜される冷凍機油は、エステル系油と、ポリエーテル系油と、アルキルベンゼン系油と、テフロン（登録商標）系油の一種または二種以上を混合させた潤滑油である。これら冷凍機油は全て、上記ＨＦＣ冷媒との相溶性がよいか、所定の相溶性を有する。


【手続補正１３】
【補正対象書類名】明細書
【補正対象項目名】００５２
【補正方法】変更
【補正の内容】
【００５２】
これにより、有効磁束量が約２０％増加し、効率を定格時約４％、実用上の使用頻度の高い中・低回転時にはそれ以上の効率改善を得られる。
そして、上記永久磁石３６の構成素材として、希土類磁石が用いられる。すなわち、固定子鉄心３０のティース部３３に直接巻線３１を施すことと相まって、回転子９側の永久磁石３６として希土類磁石を用いたので、フェライト系磁石材に比べて残留磁束密度や保持力がともに大きく、磁気エネルギ積も極めて大きくなるので、効率アップとなり、性能向上につながる。


【手続補正１４】
【補正対象書類名】明細書
【補正対象項目名】００６２
【補正方法】変更
【補正の内容】
【００６２】
しかも、代替えフロンと相溶性のよい、あるいは所定の相溶性を有するエステル系油と、ポリエーテル系油と、アルキルベンゼン系油と、テフロン（登録商標）系油の一種または二種以上を混合させた冷凍機油を用いて圧縮機構部４に対する潤滑をなすようにしている。


【手続補正１５】
【補正対象書類名】明細書
【補正対象項目名】００６９
【補正方法】変更
【補正の内容】
【００６９】
ティース部３３の数を３×ｎ（ｎは２以上の整数）とし、三相４極モータを構成するように巻線を施しているとともに、固定子巻線を隣り同士のティース部３３が互いに異相となり、かつ常に一相が非通電可能に三相巻線が施されているので、回転磁界（磁気吸引力）の分布が片寄らず、振動発生がない。